(57)【要約】【課題】カラオケ楽曲のサビ部分のみを再生して、所望のカラオケ楽曲を迅速に探す。【解決手段】楽曲選択装置１０は、カラオケ楽曲の選択が可能な選択対象一覧を表示パネル部１１に表示し、選択されたカラオケ楽曲のサビ部分のみを再生する。再生されたサビ部分を聴いたユーザは、再生されたサビ部分が自身の所望するカラオケ楽曲とイメージ等が異なると判断した場合、楽曲選択装置１０に対して、聴いたサビ部分と同等のイメージのカラオケ楽曲を選択対象から外す指示を出す。楽曲選択装置１０は、ユーザからの指示に基づき、サビ部分を再生したカラオケ楽曲と同等のイメージのカラオケ楽曲を複数の中から特定し、特定したカラオケ楽曲を選択不可能な状態にした選択対象一覧を表示する。これにより、選択対象が絞られるため、多くのカラオケ楽曲のサビ部分を聴く手間が省け、所望のカラオケ楽曲を迅速に探し出せる。【選択図】図１
2008084473.tif 000002
【特許請求の範囲】
【請求項１】
楽曲選択装置が、楽曲要素情報をそれぞれ有する複数の楽曲を選択可能に表した選択対象一覧を表示し、選択対象一覧で楽曲の選択を受け付けた場合、選択を受け付けた楽曲の一部を再生する楽曲選択方法において、
前記楽曲選択装置は、
楽曲の一部再生に伴って、再生した楽曲に応じて選択対象を減らす指示を受け付けた場合、前記複数の楽曲がそれぞれ有する楽曲要素情報および再生した楽曲が有する楽曲要素情報を比較し、
比較結果に基づき、前記複数の楽曲の中から、再生した楽曲に応じた系統に属する楽曲を特定し、
特定した楽曲を選択不可能な状態にすると共に、複数の中の残りの楽曲を選択可能にした選択対象一覧を表示することを特徴とする楽曲選択方法。
【請求項２】
前記楽曲要素情報には、楽曲のテンポ情報および／または音程幅情報が含まれており、
前記楽曲選択装置は、
複数の楽曲および再生した楽曲に対し、楽曲のテンポ情報および／または音程幅情報について比較することで、再生した楽曲に応じた系統に属する楽曲を特定する請求項１に記載の楽曲選択方法。
【請求項３】
前記楽曲要素情報には、楽曲の歌詞情報、楽曲の作成年代情報、楽曲が属するジャンル情報または楽曲を歌う歌手情報の少なくとも一つが含まれており、
前記楽曲選択装置は、
選択対象一覧を表示してから、楽曲の歌詞情報、楽曲の作成年代情報、楽曲が属するジャンル情報または楽曲を歌う歌手情報の少なくとも一つを受け付けた場合、受け付けた情報が楽曲要素情報に含まれる楽曲を、特定した楽曲の中から検出し、
検出した楽曲を選択不可能な状態から選択可能な状態に切り替えた選択対象一覧を表示する請求項１又は請求項２に記載の楽曲選択方法。
【請求項４】
楽曲選択装置が、楽曲要素情報をそれぞれ有する複数の楽曲を選択可能に表した選択対象一覧を表示し、選択対象一覧で楽曲の選択を受け付けた場合、選択を受け付けた楽曲の一部を再生する楽曲選択方法において、
前記楽曲要素情報には、楽曲のテンポ情報および／または音程幅情報が含まれると共に、楽曲の歌詞情報、楽曲の作成年代情報、楽曲が属するジャンル情報または楽曲を歌う歌手情報の少なくとも一つが含まれており、
前記楽曲選択装置は、
楽曲の一部再生に伴って、楽曲の歌詞情報、楽曲の作成年代情報、楽曲が属するジャンル情報または楽曲を歌う歌手情報の少なくとも一つを受け付けた場合、前記複数の楽曲および再生した楽曲に対し、楽曲のテンポ情報および／または音程幅情報について比較し、
比較結果に基づき、前記複数の楽曲の中から、再生した楽曲に応じた系統に属する楽曲を特定すると共に、受け付けた情報が楽曲要素情報に含まれる楽曲を、特定した楽曲の中から検出し、
検出した楽曲および特定されていない楽曲を選択可能な状態にすると共に、複数の中の残りの楽曲を選択不可能にした選択対象一覧を表示することを特徴とする楽曲選択方法。
【請求項５】
楽曲選択装置が、楽曲系統情報をそれぞれ有する複数の楽曲を選択可能に表した選択対象一覧を表示し、選択対象一覧で楽曲の選択を受け付けた場合、選択を受け付けた楽曲の一部を再生する楽曲選択方法において、
前記楽曲選択装置は、
楽曲の一部再生に伴って、再生した楽曲に応じて選択対象を減らす指示を受け付けた場合、再生した楽曲が有する楽曲系統情報と、同じ楽曲系統情報を有する楽曲を、前記複数の楽曲の中から特定し、
特定した楽曲を選択不可能な状態にすると共に、複数の中の残りの楽曲を選択可能にした選択対象一覧を表示することを特徴とする楽曲選択方法。
【請求項６】
楽曲要素情報をそれぞれ有する複数の楽曲を選択可能に表した選択対象一覧の表示処理を行う手段と、選択対象一覧で楽曲の選択を受け付けた場合、選択を受け付けた楽曲の一部の再生処理を行う手段とを備える楽曲選択装置において、
楽曲の一部再生に伴って、再生に係る楽曲に応じて選択対象を減らす指示を受け付けた場合、前記複数の楽曲がそれぞれ有する楽曲要素情報および再生に係る楽曲が有する楽曲要素情報を比較する比較手段と、
比較結果に基づき、前記複数の楽曲の中から、再生に係る楽曲に応じた系統に属する楽曲を特定する手段と、
特定した楽曲を選択不可能な状態にすると共に、複数の中の残りの楽曲を選択可能にした選択対象一覧の表示処理を行う手段と
を備えることを特徴とする楽曲選択装置。
【請求項７】
前記楽曲要素情報には、楽曲のテンポ情報および／または音程幅情報が含まれており、
前記比較手段は、複数の楽曲および再生に係る楽曲の楽曲要素情報として、楽曲のテンポ情報および／または音程幅情報を比較する請求項６に記載の楽曲選択装置。
【請求項８】
前記楽曲要素情報には、楽曲の歌詞情報、楽曲の作成年代情報、楽曲が属するジャンル情報または楽曲を歌う歌手情報の少なくとも一つが含まれており、
選択対象一覧の表示に伴って、楽曲の歌詞情報、楽曲の作成年代情報、楽曲が属するジャンル情報または楽曲を歌う歌手情報の少なくとも一つを受け付けた場合、受け付けた情報が楽曲要素情報に含まれる楽曲を、特定した楽曲の中から検出する手段と、
検出した楽曲を選択不可能な状態から選択可能な状態に切り替えた選択対象一覧の表示処理を行う手段とを備える請求項６又は請求項７に記載の楽曲選択装置。
【請求項９】
楽曲要素情報をそれぞれ有する複数の楽曲を選択可能に表した選択対象一覧の表示処理を行う手段と、選択対象一覧で楽曲の選択を受け付けた場合、選択を受け付けた楽曲の一部の再生処理を行う手段とを備える楽曲選択装置において、
前記楽曲要素情報には、楽曲のテンポ情報および／または音程幅情報が含まれると共に、楽曲の歌詞情報、楽曲の作成年代情報、楽曲が属するジャンル情報または楽曲を歌う歌手情報の少なくとも一つが含まれており、
楽曲の一部再生に伴って、楽曲の歌詞情報、楽曲の作成年代情報、楽曲が属するジャンル情報または楽曲を歌う歌手情報の少なくとも一つを受け付けた場合、前記複数の楽曲および再生に係る楽曲に対して、楽曲のテンポ情報および／または音程幅情報を比較する手段と、
比較結果に基づき、前記複数の楽曲の中から、再生に係る楽曲に応じた系統に属する楽曲を特定する特定手段と、
受け付けた情報が楽曲要素情報に含まれる楽曲を、前記特定手段が特定した楽曲の中から検出する検出手段と、
前記検出手段で検出された楽曲および前記特定手段で特定されていない楽曲を選択可能な状態にすると共に、複数の中の残りの楽曲を選択不可能にした選択対象一覧の表示処理を行う手段と
を備えることを特徴とする楽曲選択装置。
【請求項１０】
楽曲系統情報をそれぞれ有する複数の楽曲を選択可能に表した選択対象一覧の表示処理を行う手段と、選択対象一覧で楽曲の選択を受け付けた場合、選択を受け付けた楽曲の一部の再生処理を行う手段とを備える楽曲選択装置において、
楽曲の一部再生に伴って、再生した楽曲に応じて選択対象を減らす指示を受け付けた場合、再生した楽曲が有する楽曲系統情報と、同じ楽曲系統情報を有する楽曲を、前記複数の楽曲の中から特定する手段と、
特定した楽曲を選択不可能な状態にすると共に、複数の中の残りの楽曲を選択可能にした選択対象一覧の表示処理を行う手段と
を備えることを特徴とする楽曲選択装置。
【請求項１１】
コンピュータに、楽曲要素情報をそれぞれ有する複数の楽曲を選択可能に表した選択対象一覧の表示処理を行わせると共に、選択対象一覧で楽曲の選択を受け付けた場合、選択を受け付けた楽曲の一部の再生処理を行わせるコンピュータプログラムにおいて、
コンピュータを、
楽曲の一部再生に伴って、再生に係る楽曲に応じて選択対象を減らす指示を受け付けた場合、前記複数の楽曲がそれぞれ有する楽曲要素情報および再生に係る楽曲が有する楽曲要素情報を比較する比較手段と、
比較結果に基づき、前記複数の楽曲の中から、再生に係る楽曲に応じた系統に属する楽曲を特定する手段と、
特定した楽曲を選択不可能な状態にすると共に、複数の中の残りの楽曲を選択可能にした選択対象一覧の表示処理を行う手段として機能させることを特徴とするコンピュータプログラム。
【請求項１２】
コンピュータに、楽曲要素情報をそれぞれ有する複数の楽曲を選択可能に表した選択対象一覧の表示処理を行わせると共に、選択対象一覧で楽曲の選択を受け付けた場合、選択を受け付けた楽曲の一部の再生処理を行わせるコンピュータプログラムにおいて、
前記楽曲要素情報には、楽曲のテンポ情報および／または音程幅情報が含まれると共に、楽曲の歌詞情報、楽曲の作成年代情報、楽曲が属するジャンル情報または楽曲を歌う歌手情報の少なくとも一つが含まれており、
コンピュータに、
楽曲の一部再生に伴って、楽曲の歌詞情報、楽曲の作成年代情報、楽曲が属するジャンル情報または楽曲を歌う歌手情報の少なくとも一つを受け付けた場合、前記複数の楽曲および再生に係る楽曲に対して、楽曲のテンポ情報および／または音程幅情報を比較する手段と、
比較結果に基づき、前記複数の楽曲の中から、再生に係る楽曲に応じた系統に属する楽曲を特定する特定手段と、
受け付けた情報が楽曲要素情報に含まれる楽曲を、前記特定手段が特定した楽曲の中から検出する検出手段と、
前記検出手段で検出された楽曲および前記特定手段で特定されていない楽曲を選択可能な状態にすると共に、複数の中の残りの楽曲を選択不可能にした選択対象一覧の表示処理を行う手段として機能させることを特徴とするコンピュータプログラム。
【発明の詳細な説明】
【技術分野】
【０００１】
本発明は、カラオケ等において曲名等を覚えていなくても、楽曲の一部を聴いてから素早く且つ精度良く所望の曲を見つけられるようにした楽曲選択方法、楽曲選択装置およびコンピュータプログラムに関する。
【背景技術】
【０００２】
従来、カラオケでユーザが歌唱を希望する楽曲を探す場合に、曲名等を覚えていなくても希望曲を探し出せるようにするため、様々な工夫が行われている。例えば、楽曲が収録されているアルバムのジャケット画像を表示して、ジャケット画像から希望曲をユーザに思い出させる工夫や、希望曲が流行した年代のニュース及び話題等の一覧を挙げてユーザの希望曲を探し出せることなどが行われている。
【０００３】
また、希望する楽曲のメロディ、歌詞の一部および曲のイメージ等しか覚えていない場合でも希望曲を探し出せるようにするため、楽曲が選択されると、その楽曲のサビ部分を再生し、再生内容をユーザが聴くことでユーザの探している曲であるか否かを確認可能にした検索方法も提供されている。なお、このような楽曲の一部分のみを再生することで選曲を行う内容は、下記の特許文献１でも開示されている。
【０００４】
また、下記の特許文献２では、覚えているメロディ、歌詞等を口ずさむことで、そのメロディ、歌詞等の相対的な音程変位の比率及び相対的な長さの比率等を求めて、ユーザの希望する楽曲を探し出すようにした内容が開示されている。
【特許文献１】特開２００２−９３１２６号公報
【特許文献２】特開平８−１６０９７５号公報
【発明の開示】
【発明が解決しようとする課題】
【０００５】
上述した楽曲の選択に応じてサビ部分のみを再生して、探している楽曲であるか否かを確認することは、曲名等を正確に覚えていない場合に所望の楽曲を探すときに有効となる。しかし、カラオケ等において莫大な数の楽曲対象から、サビ部分のみを再生して所望の楽曲を探しだそうとすると、楽曲ごとにサビ部分を再生して曲内容を確認する必要があり、所望の楽曲を探し出すまでに非常に手間と時間を要する問題がある。なお、このような問題は、カラオケの場合だけでなく、ハードディスク装置のような大容量記憶媒体を備えて多量の楽曲を記憶可能にした楽曲再生装置で、楽曲の一部の再生を行って所望の楽曲を探す際においても同様に生じる。
【０００６】
本発明は、斯かる事情に鑑みてなされたものであり、選曲に応じて楽曲の一部を再生した場合、その楽曲がユーザの所望するものと相異する場合は、その楽曲と同等の系統に属する楽曲を選択対象から外した上で、再度の楽曲選択を行えるようにして、ユーザが希望する楽曲を素早く且つ精度良く探し出せるようにした楽曲選択方法、楽曲選択装置およびコンピュータプログラムを提供することを目的とする。
【課題を解決するための手段】
【０００７】
上記課題を解決するために本発明に係る楽曲選択方法は、楽曲選択装置が、楽曲要素情報をそれぞれ有する複数の楽曲を選択可能に表した選択対象一覧を表示し、選択対象一覧で楽曲の選択を受け付けた場合、選択を受け付けた楽曲の一部を再生する楽曲選択方法において、前記楽曲選択装置は、楽曲の一部再生に伴って、再生した楽曲に応じて選択対象を減らす指示を受け付けた場合、前記複数の楽曲がそれぞれ有する楽曲要素情報および再生した楽曲が有する楽曲要素情報を比較し、比較結果に基づき、前記複数の楽曲の中から、再生した楽曲に応じた系統に属する楽曲を特定し、特定した楽曲を選択不可能な状態にすると共に、複数の中の残りの楽曲を選択可能にした選択対象一覧を表示することを特徴とする。
【０００８】
また、本発明に係る楽曲選択方法は、前記楽曲要素情報には、楽曲のテンポ情報および／または音程幅情報が含まれており、前記楽曲選択装置は、複数の楽曲および再生した楽曲に対し、楽曲のテンポ情報および／または音程幅情報について比較することで、再生した楽曲に応じた系統に属する楽曲を特定することを特徴とする。
【０００９】
さらに、本発明に係る楽曲選択方法は、前記楽曲要素情報には、楽曲の歌詞情報、楽曲の作成年代情報、楽曲が属するジャンル情報または楽曲を歌う歌手情報の少なくとも一つが含まれており、前記楽曲選択装置は、選択対象一覧を表示してから、楽曲の歌詞情報、楽曲の作成年代情報、楽曲が属するジャンル情報または楽曲を歌う歌手情報の少なくとも一つを受け付けた場合、受け付けた情報が楽曲要素情報に含まれる楽曲を、特定した楽曲の中から検出し、検出した楽曲を選択不可能な状態から選択可能な状態に切り替えた選択対象一覧を表示することを特徴とする。
【００１０】
本発明に係る楽曲選択方法は、楽曲選択装置が、楽曲要素情報をそれぞれ有する複数の楽曲を選択可能に表した選択対象一覧を表示し、選択対象一覧で楽曲の選択を受け付けた場合、選択を受け付けた楽曲の一部を再生する楽曲選択方法において、前記楽曲要素情報には、楽曲のテンポ情報および／または音程幅情報が含まれると共に、楽曲の歌詞情報、楽曲の作成年代情報、楽曲が属するジャンル情報または楽曲を歌う歌手情報の少なくとも一つが含まれており、前記楽曲選択装置は、楽曲の一部再生に伴って、楽曲の歌詞情報、楽曲の作成年代情報、楽曲が属するジャンル情報または楽曲を歌う歌手情報の少なくとも一つを受け付けた場合、前記複数の楽曲および再生した楽曲に対し、楽曲のテンポ情報および／または音程幅情報について比較し、比較結果に基づき、前記複数の楽曲の中から、再生した楽曲に応じた系統に属する楽曲を特定すると共に、受け付けた情報が楽曲要素情報に含まれる楽曲を、特定した楽曲の中から検出し、検出した楽曲および特定されていない楽曲を選択可能な状態にすると共に、複数の中の残りの楽曲を選択不可能にした選択対象一覧を表示することを特徴とする。
【００１１】
本発明に係る楽曲選択方法は、楽曲選択装置が、楽曲系統情報をそれぞれ有する複数の楽曲を選択可能に表した選択対象一覧を表示し、選択対象一覧で楽曲の選択を受け付けた場合、選択を受け付けた楽曲の一部を再生する楽曲選択方法において、前記楽曲選択装置は、楽曲の一部再生に伴って、再生した楽曲に応じて選択対象を減らす指示を受け付けた場合、再生した楽曲が有する楽曲系統情報と、同じ楽曲系統情報を有する楽曲を、前記複数の楽曲の中から特定し、特定した楽曲を選択不可能な状態にすると共に、複数の中の残りの楽曲を選択可能にした選択対象一覧を表示することを特徴とする。
【００１２】
本発明に係る楽曲選択装置は、楽曲要素情報をそれぞれ有する複数の楽曲を選択可能に表した選択対象一覧の表示処理を行う手段と、選択対象一覧で楽曲の選択を受け付けた場合、選択を受け付けた楽曲の一部の再生処理を行う手段とを備える楽曲選択装置において、楽曲の一部再生に伴って、再生に係る楽曲に応じて選択対象を減らす指示を受け付けた場合、前記複数の楽曲がそれぞれ有する楽曲要素情報および再生に係る楽曲が有する楽曲要素情報を比較する比較手段と、比較結果に基づき、前記複数の楽曲の中から、再生に係る楽曲に応じた系統に属する楽曲を特定する手段と、特定した楽曲を選択不可能な状態にすると共に、複数の中の残りの楽曲を選択可能にした選択対象一覧の表示処理を行う手段とを備えることを特徴とする。
【００１３】
また、本発明に係る楽曲選択装置は、前記楽曲要素情報には、楽曲のテンポ情報および／または音程幅情報が含まれており、前記比較手段は、複数の楽曲および再生に係る楽曲の楽曲要素情報として、楽曲のテンポ情報および／または音程幅情報を比較することを特徴とする。
【００１４】
さらに、本発明に係る楽曲選択装置は、前記楽曲要素情報には、楽曲の歌詞情報、楽曲の作成年代情報、楽曲が属するジャンル情報または楽曲を歌う歌手情報の少なくとも一つが含まれており、選択対象一覧の表示に伴って、楽曲の歌詞情報、楽曲の作成年代情報、楽曲が属するジャンル情報または楽曲を歌う歌手情報の少なくとも一つを受け付けた場合、受け付けた情報が楽曲要素情報に含まれる楽曲を、特定した楽曲の中から検出する手段と、検出した楽曲を選択不可能な状態から選択可能な状態に切り替えた選択対象一覧の表示処理を行う手段とを備えることを特徴とする。
【００１５】
本発明に係る楽曲選択装置は、楽曲要素情報をそれぞれ有する複数の楽曲を選択可能に表した選択対象一覧の表示処理を行う手段と、選択対象一覧で楽曲の選択を受け付けた場合、選択を受け付けた楽曲の一部の再生処理を行う手段とを備える楽曲選択装置において、前記楽曲要素情報には、楽曲のテンポ情報および／または音程幅情報が含まれると共に、楽曲の歌詞情報、楽曲の作成年代情報、楽曲が属するジャンル情報または楽曲を歌う歌手情報の少なくとも一つが含まれており、楽曲の一部再生に伴って、楽曲の歌詞情報、楽曲の作成年代情報、楽曲が属するジャンル情報または楽曲を歌う歌手情報の少なくとも一つを受け付けた場合、前記複数の楽曲および再生に係る楽曲に対して、楽曲のテンポ情報および／または音程幅情報を比較する手段と、比較結果に基づき、前記複数の楽曲の中から、再生に係る楽曲に応じた系統に属する楽曲を特定する特定手段と、受け付けた情報が楽曲要素情報に含まれる楽曲を、前記特定手段が特定した楽曲の中から検出する検出手段と、前記検出手段で検出された楽曲および前記特定手段で特定されていない楽曲を選択可能な状態にすると共に、複数の中の残りの楽曲を選択不可能にした選択対象一覧の表示処理を行う手段とを備えることを特徴とする。
【００１６】
本発明に係る楽曲選択装置は、楽曲系統情報をそれぞれ有する複数の楽曲を選択可能に表した選択対象一覧の表示処理を行う手段と、選択対象一覧で楽曲の選択を受け付けた場合、選択を受け付けた楽曲の一部の再生処理を行う手段とを備える楽曲選択装置において、楽曲の一部再生に伴って、再生した楽曲に応じて選択対象を減らす指示を受け付けた場合、再生した楽曲が有する楽曲系統情報と、同じ楽曲系統情報を有する楽曲を、前記複数の楽曲の中から特定する手段と、特定した楽曲を選択不可能な状態にすると共に、複数の中の残りの楽曲を選択可能にした選択対象一覧の表示処理を行う手段とを備えることを特徴とする。
【００１７】
本発明に係るコンピュータプログラムは、コンピュータに、楽曲要素情報をそれぞれ有する複数の楽曲を選択可能に表した選択対象一覧の表示処理を行わせると共に、選択対象一覧で楽曲の選択を受け付けた場合、選択を受け付けた楽曲の一部の再生処理を行わせるコンピュータプログラムにおいて、コンピュータを、楽曲の一部再生に伴って、再生に係る楽曲に応じて選択対象を減らす指示を受け付けた場合、前記複数の楽曲がそれぞれ有する楽曲要素情報および再生に係る楽曲が有する楽曲要素情報を比較する比較手段と、比較結果に基づき、前記複数の楽曲の中から、再生に係る楽曲に応じた系統に属する楽曲を特定する手段と、特定した楽曲を選択不可能な状態にすると共に、複数の中の残りの楽曲を選択可能にした選択対象一覧の表示処理を行う手段として機能させることを特徴とする。
【００１８】
また、本発明に係るコンピュータプログラムは、コンピュータに、楽曲要素情報をそれぞれ有する複数の楽曲を選択可能に表した選択対象一覧の表示処理を行わせると共に、選択対象一覧で楽曲の選択を受け付けた場合、選択を受け付けた楽曲の一部の再生処理を行わせるコンピュータプログラムにおいて、前記楽曲要素情報には、楽曲のテンポ情報および／または音程幅情報が含まれると共に、楽曲の歌詞情報、楽曲の作成年代情報、楽曲が属するジャンル情報または楽曲を歌う歌手情報の少なくとも一つが含まれており、コンピュータに、楽曲の一部再生に伴って、楽曲の歌詞情報、楽曲の作成年代情報、楽曲が属するジャンル情報または楽曲を歌う歌手情報の少なくとも一つを受け付けた場合、前記複数の楽曲および再生に係る楽曲に対して、楽曲のテンポ情報および／または音程幅情報を比較する手段と、比較結果に基づき、前記複数の楽曲の中から、再生に係る楽曲に応じた系統に属する楽曲を特定する特定手段と、受け付けた情報が楽曲要素情報に含まれる楽曲を、前記特定手段が特定した楽曲の中から検出する検出手段と、前記検出手段で検出された楽曲および前記特定手段で特定されていない楽曲を選択可能な状態にすると共に、複数の中の残りの楽曲を選択不可能にした選択対象一覧の表示処理を行う手段として機能させることを特徴とする。
【００１９】
本発明にあっては、再生した楽曲に応じて選択対象を減らす指示を受け付けると、再生した楽曲に応じた系統に属する楽曲を選択不可能にした選択対象一覧を表示するため、再生した楽曲がユーザの探している楽曲と、曲調およびイメージ等が異なると判断したときは、選択対象を減らす指示を楽曲選択装置に与えるだけで、再生した楽曲と同等の曲調およびイメージ等の楽曲が選択対象から自動的に除外されることになる。その結果、選択対象が絞られるため、楽曲の一部を再生する数も減少して、ユーザの所望する楽曲を素早く探すことが可能となる。なお、選択対象を減らす指示は、楽曲の一部を再生するごとに何度でも与えることが可能であり、そのため、選択対象を減らす指示を繰り返すことで、順次選択対象の楽曲数を減少させて、効率の良い楽曲選択を行える。
【００２０】
本発明にあっては、再生した楽曲と同等の系統に属する楽曲を特定する際には、楽曲のテンポ情報および／または音程幅情報を比較した結果を参照するため、ユーザの所望する楽曲を精度良く比較判別することに貢献できる。なお、楽曲のテンポ情報とは、楽曲のベースラインを構成するドラム音のテンポ又は楽曲の拍子等を表す情報であり、このようなテンポ情報を比較することで、テンポの点で同等の系統に属する各楽曲を特定することが可能となる。また、楽曲の音程幅情報とは、楽曲のメロディ（ガイドメロディ）を構成する楽曲音の最も低い音から最も高い音の範囲（音程幅）を表した情報または低い音から高い音までの巾を平均した範囲等を表す情報であり、このような音程幅情報を比較することで、音域帯の点で同等の系統に属する各楽曲を特定することが可能になる。
【００２１】
なお、上記以外の情報として、楽曲を演奏する楽器の音色情報を用いて比較を行うことも可能である。楽器の音色情報とは、楽器の調整された音色を表した情報に相当する。例えば、エレキギターのような電気的な楽器または電子的な楽器ではエフェクター等のデバイスにより楽器の音色を重い感じ、明るい感じ、抜けるような感じなど様々に調整でき、このように調整された各種音色の種類を音色情報は表す。そのため、音色情報を比較することで、楽器が奏でる音色に応じた楽曲イメージの点で同等の系統に属する各楽曲を特定することが可能になる。
【００２２】
また、本発明にあっては、上述した楽曲の特定処理で選曲対象を減らす場合に、他の条件を追加して選択対象の減らす程度を調整するため、判別の境目に位置して、いずれの系統に属するか曖昧なものは、複合的な条件に基づき選択対象に残すようにして、ユーザが本当に探し出したい楽曲が選択対象から外れる事態が生じることを防止できる。即ち、同一のアーティストが作曲した楽曲は、どこか似たようなイメージになることが多いため、ユーザの所望する楽曲が、多くの楽曲を手がけているアーティストの作品である場合、上述した特定処理による判別の仕方では、選択対象から外されてしまうこともあるため、楽曲の歌詞情報、楽曲の作成年代情報、楽曲が属するジャンル情報または楽曲を歌う歌手情報と云う異なる条件を追補し、一度特定した楽曲の中から条件に有る楽曲の検出を行うため、ユーザが本当に探したい楽曲が選択対象から外れること防ぎ、検索精度を高めることができる。
【００２３】
本発明にあっては、上述した発明のように先ず、同系統に属する楽曲を特定し、それから、その特定した中から別種類の条件に合致する楽曲を検出するように、特定するステップおよび検出するステップと云う複数のステップを経て、条件に合致する楽曲を選択対象に残すようにするのではなく、検出用の条件を受け付けるだけで、各条件に合致する楽曲を選択対象に残す処理を一度に行うので、ユーザの操作入力回数が減ると共に、一段とスピーディに精度の良い楽曲選択を行える。
【００２４】
本発明にあっては、予め楽曲系統情報を有する楽曲同士を比較して、再生した楽曲と同じ楽曲系統情報を有する楽曲を特定して選択不可能な状態にするので、楽曲系統情報に基づく一定の楽曲選択精度を確保した上で、楽曲選択に係る処理負担を低減できると共に、素早い特定処理を実現できる。
【発明の効果】
【００２５】
本発明にあっては、再生した楽曲に応じた系統に属する楽曲を選択不可能にした選択対象一覧を表示するので、自動的に選択対象が絞られるようになり、所望する楽曲をユーザは素早く探すことができる。
また、本発明にあっては、楽曲のテンポ情報および／または音程幅情報を比較した結果を参照して、選択対象から外す楽曲を特定するので、ユーザの所望する楽曲以外を精度良く選択対象から除外でき、効率的な楽曲選択に貢献できる。
【００２６】
さらに、本発明にあっては、他の条件を追補して選択対象から除外する楽曲の程度を調整するため、判別しにくい曖昧な楽曲を残すことができ、ユーザが本当に探し出したい楽曲が選択対象から漏れることを防止できる。
【００２７】
本発明にあっては、検出用の条件を受け付けるだけで、条件に合致する楽曲を選択対象に残す処理を一度に行うので、ユーザの操作入力回数を減らして、ユーザの操作負担を低減できると共に、精度の良い楽曲選択を迅速に行える。
また、本発明にあっては、予め楽曲系統情報を有する楽曲同士を比較して、再生した楽曲と同じ楽曲系統情報を有する楽曲を特定して選択不可能な状態にするので、楽曲選択精度の向上と、楽曲選択に係る処理負担の低減とをバランスの取れた状態で両立できる。
【発明を実施するための最良の形態】
【００２８】
図１は、本発明の実施形態に係る楽曲選択装置１０を含むカラオケシステム１の全体的な構成を示し、カラオケシステム１は、カラオケ装置２、無線ＬＡＮのアクセスポイント３（無線通信中継装置）および楽曲選択装置１０等を備える。楽曲選択装置１０は、赤外線通信（IrDA）でカラオケ装置２へ各種コマンド等を送信できると共に、無線ＬＡＮでアクセスポイント３と無線通信を行う。
【００２９】
また、カラオケ装置２は、楽曲配信サーバ（図示せず）と接続されており、楽曲選択装置１０から送信される選曲コマンド等の受信に伴って、各種カラオケ楽曲を取得し、取得したカラオケ楽曲の再生処理を行って、カラオケ映像をモニタ装置４で表示出力し、カラオケ楽曲音をスピーカ５ａ、５ｂから出力する。さらに、アクセスポイント３は、ネットワークＮＷと有線で接続されており、カラオケ装置２で再生できる複数のカラオケ楽曲を選択するための各種情報を格納したカラオケ楽曲データベースを取得し、その取得したカラオケ楽曲データベースを楽曲選択装置１０へ無線通信で送信する。それにより、カラオケ楽曲データベースに基づき楽曲選択装置１０を用いて、ユーザが歌唱を所望するカラオケ楽曲を選択できるようにしている。
【００３０】
図２は、楽曲選択装置１０の内部構成を示している。楽曲選択装置１０は、各種制御処理を行う制御部１０ａに、無線通信部１０ｂ、赤外線通信部１０ｃ、ＲＡＭ１０ｄ、ＲＯＭ１０ｅ、インタフェース部１２、音出力処理部１０ｆおよび記憶部１０ｇを内部バス１０ｈで接続している。
【００３１】
無線通信部１０ｂは、無線ＬＡＮ（本実施形態では、IEEE802.11b）によりアクセスポイント３と無線通信を行う無線通信手段に相当し、制御部１０ａの制御指示に基づきカラオケ楽曲データベースおよびデータベース更新情報などを無線通信により受信する。また、赤外線通信部１０ｃは、カラオケ装置２と赤外線通信を行うものであり、制御部１０ａの制御指示に基づき、選択されたカラオケ楽曲の再生指示などをカラオケ装置２へ伝える処理を行う。
【００３２】
ＲＡＭ１０ｄは制御部１０ａの処理に従うデータおよび各種情報等を一時的に記憶する。また、ＲＯＭ１０ｅは制御部１０ａが行う基本的な処理内容を規定したプログラム等を予め記憶している。
【００３３】
インタフェース部１２は、タッチパネル機能を具備した表示パネル部１１と接続されると共に、表示パネル部１１の表示面に付設されるタッチパネル操作部１３とも接続されている。インタフェース部１２は、後述する記憶部１０ｇに記憶される画面データ等の表示処理を制御部１０ａの制御指示に基づき行い、図５（ａ）に示す第１選択対象一覧２０の画面等を表示パネル部１１に表示する。また、インタフェース部１２は、第１選択対象一覧２０に配置されたボタン２０ｇ等（選択可能な部分）に応じたパネル面の箇所が触れられると、タッチパネル操作部１３が、その触れられた箇所を検知して、検知した箇所に配置されたボタン２０ｇ等が選択された旨を、内部バス１０ｈを通じて制御部１０ａに伝える。
【００３４】
音出力処理部１０ｆは、楽曲選択装置１０に内蔵されているスピーカ１４と接続されており、各種音楽データ（ＭＩＤＩ形式のデータ、ＷＡＶ形式のデータ等）の再生処理を制御部１０ａの制御指示に従って行い、再生音をスピーカ１４から出力する。
【００３５】
記憶部１０ｇは、装置プログラム１５、カラオケ楽曲データベース１６および画面データ１７ａ、１７ｂ・・・１７ｎ等を記憶している。装置プログラム１５はコンピュータプログラムに相当し、制御部１０ａが行う各種制御処理を規定したものであり、詳しくは楽曲選択装置１０を用いるユーザが所望の楽曲を選択できるように表示パネル部１１に、図５、図６等に示す各種画面を表示させると共に、タッチパネル操作部１３で受け付けた操作に基づき表示画面の切替、カラオケ楽曲のサビ部分の再生、楽曲の特定処理等に関する制御内容を規定している。
【００３６】
図３は、記憶部１０ｇが記憶するカラオケ楽曲データベース１６の内容を概略的に示した図表である。カラオケ楽曲データベース１６は、カラオケ楽曲ごとに対応する楽曲フォルダ（フォルダ１、フォルダ２等）が登録されている。また、各楽曲フォルダは、楽曲に関する要素に対応した各種情報が付随するサビ部分楽曲データ（データ１、データ２等）をそれぞれ有する。サビ部分楽曲データは、その楽曲のサビ部分に応じたＭＩＤＩ形式又はＷＡＶ形式等のデータ等であり、再生に必要な楽曲演奏用の演奏情報および楽曲のメロディを奏でるガイドメロディ情報が楽曲要素情報として付随している。
【００３７】
図４（ａ）は、サビ部分楽曲データが含む演奏情報を模式的に表したものである。演奏情報は、楽曲のメロディを演奏する楽器（ギター、ベース、ドラム）ごとに、各時間（ｔ１、ｔ２・・・）における演奏音の有無を規定している。また、ドラムの演奏音は、そのカラオケ楽曲のテンポを形成するため、演奏情報に含まれる時間（ｔ１、ｔ２・・・）の経過に伴うドラムの演奏音に係る情報は、楽曲のテンポ情報に相当する。
【００３８】
図４（ｂ）は、サビ部分楽曲データが含むガイドメロディ情報を模式的に表したものである。ガイドメロディ情報は、時間（ｔ１、ｔ２・・・）の経過に伴う楽曲の基本となるメロディ音の音程レベルを表す波形を規定し、本実施形態のガイドメロディ情報には、波形で谷となる箇所ｖ１、ｖ２等および波形で山となる箇所ｈ１、ｈ２等のそれぞれの差ｓ１、ｓ２等の平均値Ｓの値が、音程の幅を表す音程幅情報として付随する。
【００３９】
図３のカラオケ楽曲データベース１６に戻り、各カラオケ楽曲に対応する楽曲フォルダ（フォルダ１、フォルダ２等）が含む各種情報について更に説明する。各楽曲フォルダは、楽曲名、歌詞情報、楽曲を作成した年代、楽曲が属するジャンルおよび楽曲を歌うアーティスト（歌手またはグループ）を示す情報（楽曲要素情報に相当）を含んでおり、これらの各項目に対する情報はテキスト形式のデータになっている。さらに、カラオケ楽曲データベース１６に含まれる楽曲フォルダの中には、他の情報として、そのカラオケ楽曲が収録されているアルバムのジャケット画像の画像データも含んでいるものもある。なお、カラオケ楽曲データベース１６に格納される各種情報およびデータは、楽曲選択装置１０がアクセスポイント３を通じて、更新情報等を配信するサーバ（図１で図示せず）と通信することで、更新可能となっており、更新により最新の楽曲も素早く選曲対象に含められるようにしている。
【００４０】
また、図２に示す記憶部１０ｇに記憶される画面データ１７ａ、１７ｂ等は、図５〜図１０等に示す各画面を生成するためのベースとなるデータであり、これら各画面データ１７ａ、１７ｂ等に適宜情報等を配置して所定の画面が生成される。なお、画面の生成及び表示パネル部１１での表示等は、制御部１０ａの制御指示に基づき行われる。以下、図５〜図１０に示す各画面の内容について説明する。
【００４１】
図５（ａ）は、第１選択対象一覧２０が表示パネル部１１に表示された状態を示し、第１選択対象一覧２０は、検索ワードの入力および絞り込み検索等を行わないカラオケ楽曲の選択の際に表示される画面に相当する。第１選択対象一覧２０は、図３に示すカラオケ楽曲データベース１６に格納された複数のカラオケ楽曲を選択できるようにしたメニュー画面であり、カラオケ楽曲データベース１６の各カラオケ楽曲に対応した選択ボタン２０ａ〜２０ｆが選択可能に設けられると共に、ページに切り替えるための矢印ボタン２０ｇ、２０ｈが選択可能に配置されている。なお、このような第１選択対象一覧２０は１ページ当たり６曲を選択できる構成になっており、カラオケ楽曲データベース１６に含まれるカラオケ楽曲の数に応じて、複数ページの第１選択対象一覧２０が存在する。また、各選択ボタン２０ａ〜２０ｆには、そのボタンが対応するカラオケ楽曲の楽曲フォルダが含む楽曲名及びアーティストの情報等が記述されると共に、その楽曲フォルダがアルバムジャケットの画像データを含む場合は、画像データに応じた画像ｇ１、ｇ２等も配置される。
【００４２】
なお、第１選択対象一覧２０が表示パネル部１１に表示された状態で、各選択ボタン２０ａ〜２０ｆのいずれか選択された場合、ボタンが選択された旨が制御部１０ａに伝えられ、制御部１０ａは、選択されたボタンに応じた楽曲フォルダが含むサビ部分楽曲データをカラオケ楽曲データベース１６から読み出して音出力処理部１０ｆで再生処理を行わせて、スピーカ１４からサビ部分の楽曲音を出力させる制御を行う。
【００４３】
図５（ｂ）に示す第２選択対象一覧２１は、サビ部分の再生後に表示される画面であり、基本的に図５（ａ）の第１選択対象一覧２０と同様の画面内容になっているが、画面右上に「○」ボタン２１ｉ、「△」ボタン２１ｊ、「×」ボタン２１ｋを配置していることが第１選択対象一覧２０との相違点になっている。「○」ボタン２１ｉは、サビ部分を再生したカラオケ楽曲を、ユーザがカラオケとして歌唱することを決定した場合に選択されるボタンであり、「○」ボタン２１ｉが選択されると、制御部１０ａは、選択されたカラオケ楽曲の再生を指示するコマンドを赤外線通信部１０ｃより送信する制御を行う。
【００４４】
「△」ボタン２１ｊは、詳細検索を行うためのボタンであり、「△」ボタン２１ｊが選択されると、図７に示す詳細検索メニュー２３の画面に表示が切り替わるように、制御部１０ａが制御を行う。
【００４５】
「×」ボタン２１ｋは、サビ部分を再生したカラオケ楽曲は、ユーザの所望する楽曲とイメージおよび曲調等が相異し、このカラオケ楽曲と同系統に属するカラオケ楽曲を選択対象から外す指示（選択対象を減らす指示に相当）を与えるためのボタンである。そのため、「×」ボタン２１ｋが選択されると、制御部１０ａが装置プログラム１５の規定で行う絞り込みにより、選択対象を絞り込んで減らす処理が行われる。なお、制御部１０の絞り込み処理の詳細は後述する。
【００４６】
図６に示す第３選択対象一覧２２は、図５（ａ）の第１選択対象一覧２０で第２選択ボタン２０ｂが選択されてから、図５（ｂ）の第２選択対象一覧２１で「×」ボタン２１ｋが選択された場合に、表示パネル部１１に表示される画面である。なお、第３選択対象一覧２２も、基本的に図５（ａ）の第１選択対象一覧２０と同様の画面になっており、第３選択対象一覧２２の各選択ボタン２２ａ〜２２ｆは、第１選択対象一覧２０の各選択ボタン２０ａ〜２０ｆに対応している。但し、第３選択対象一覧２２は、右上に詳細ボタン２２ｓ、やり直しボタン２２ｔを配置していることが、第１選択対象一覧２０との相異点になっている。
【００４７】
また、図６に示す第３選択対象一覧２２では、第２選択ボタン２２ｂ、第３選択ボタン２２ｃおよび第５選択ボタン２２ｅが選択不可能な状態になっており（図中、波線で示す）、他の選択ボタン２２ａ、２２ｄ、２２ｆは選択可能な状態になっている。なお、第２選択ボタン２２ｂ、第３選択ボタン２２ｃおよび第５選択ボタン２２ｅがそれぞれ対応するカラオケ楽曲は、同系統に属している。第３選択対象一覧２２の詳細ボタン２２ｓは、選択されると、図７の詳細検索メニュー２３の画面に表示パネル部１１の表示が切り替わるように、制御部１０ａが制御を行う。さらに、やり直しボタン２２ｔが選択されると、制御部１０ａによる絞り込みの処理結果がリセットされて、表示パネル部１１に再度、図５（ａ）の第１選択対象一覧２０が表示されるように表示画面の切替が行われる。
【００４８】
図７の詳細検索メニュー２３は、さらに詳細な検索を行う場合に表示パネル部１１に表示される画面であり、歌詞検索ボタン２３ａ、アーティスト検索ボタン２３ｂ、年代検索ボタン２３ｃおよびジャンル検索ボタン２３ｄを有すると共に、検索スタートボタン２３ｅ、戻るボタン２３ｆを有する。なお、詳細検索メニュー２３が最初に表示された状態では、検索スタートボタン２３ｅは選択不可能な状態になっており（図中、波線で示す）、各検索ボタン２３ａ〜２３ｄのいずれかで詳細検索の設定が行われると、選択可能な状態に切り替わる。また、戻るボタン２３ｆは、選択されると、制御部１０ａによる絞り込みの処理が行われている場合は、処理結果がリセットされてから、表示パネル部１１に再度、図５（ａ）の第１選択対象一覧２０が表示されるように表示画面の切替が行われる。
【００４９】
図８（ａ）の歌詞検索ページ２４は、図７の詳細検索メニュー２３で歌詞検索ボタン２３ａが選択された場合に、表示パネル部１１で表示される画面であり、歌詞の一部で選曲対象を絞る際に用いられる。歌詞検索ページ２４は、歌詞入力欄２４ａ、多数の文字ボタン、ＯＫボタン２４ｂ、戻るボタン２４ｃ等を備え、歌詞入力欄２４ａに文字（歌詞の一部）が入力された状態でＯＫボタン２４ｂが選択されると、検索スタートボタン２３ｅが選択可能な状態になった詳細検索メニュー２３（図７参照）に表示が切り替わる。また、戻るボタン２４ｃが選択されると、検索スタートボタン２３ｅが選択不可能な状態の詳細検索メニュー２３（図７参照）に表示パネル部１１の表示が切り替わる。
【００５０】
図８（ｂ）のアーティスト検索ページ２５は、図７の詳細検索メニュー２３でアーティスト検索ボタン２３ｂが選択された場合に、表示パネル部１１で表示される画面であり、アーティスト名で選曲対象を絞る際に用いられる。アーティスト検索ページ２５は、アーティスト名入力欄２５ａ、多数の文字ボタン、ＯＫボタン２５ｂ、戻るボタン２５ｃ等を備え、アーティスト名入力欄２５ａに文字（アーティスト名）が入力された状態でＯＫボタン２５ｂが選択されると、図８（ａ）の歌詞検索ページ２４の場合と同様に表示パネル部１１の表示画面の切替が行われ、戻るボタン２５ｃが選択された場合も、図８（ａ）の歌詞検索ページ２４の場合と同様の表示切替が行われる。
【００５１】
図９（ａ）の年代検索ページ２６は、図７の詳細検索メニュー２３で年代検索ボタン２３ｃが選択された場合に、表示パネル部１１で表示される画面であり、楽曲が作成された年代で選曲対象を絞る際に用いられる。年代検索ページ２６は、年代入力欄２６ａ、０〜９の数字ボタン、ＯＫボタン２６ｂ、戻るボタン２６ｃ等を備え、年代入力欄２６ａに数字（年代）が入力された状態でＯＫボタン２６ｂが選択されると、図８（ａ）の歌詞検索ページ２４の場合と同様に表示画面の切替が行われ、戻るボタン２６ｃが選択された場合も、図８（ａ）の歌詞検索ページ２４の場合と同様の切替が行われる。
【００５２】
図９（ｂ）のジャンル検索ページ２７は、図７の詳細検索メニュー２３でジャンル検索ボタン２３ｄが選択された場合に、表示パネル部１１で表示される画面であり、楽曲が属するジャンルで選曲対象を絞る際に用いられる。ジャンル検索ページ２７は、ジャンル選択欄２７ａ、ＯＫボタン２７ｂ、戻るボタン２７ｃを備え、ジャンル選択欄２７ａでジャンルが選択された状態でＯＫボタン２７ｂが選択されると、図８（ａ）の歌詞検索ページ２４の場合と同様に表示画面の切替が行われ、戻るボタン２７ｃが選択された場合も、図８（ａ）の歌詞検索ページ２４の場合と同様の切替が行われる。
【００５３】
さらに、図１０に示す第４選択対象一覧２８は、検索スタートボタン２３ｅが選択可能状態になった詳細検索メニュー２３で検索スタートボタン２３ｅが選択された場合に、表示パネル部１１に表示される画面であり、設定された検索条件に合致するカラオケ楽曲が選択可能に切り替わった内容になっている。即ち、第４選択対象一覧２８も、基本的に図５（ａ）の第１選択対象一覧２０、図５（ｂ）の第２選択対象一覧２１および図６の第３選択対象一覧２３と同様の画面になっているが、図６の第３選択対象一覧２３と比べると、第３選択ボタン２８ｃが選択可能な状態に切り替わった点が相異する。これは、図８（ａ）〜図９（ｂ）の各検索ページ２４〜２７の少なくとも一つで検索された結果に第３選択ボタン２８ｃに対応する楽曲（楽曲フォルダ）が含む情報（楽曲要素情報）がヒットしたことにより、第３選択ボタン２８ｃに対応する楽曲が、図６の第３選択対象一覧２３の選択対象に外れた状態（選択不可能な状態）から、選択対象として復活したためによる。
【００５４】
よって、第４選択対象一覧２８は、図６の第３選択対象一覧２３を見て、ユーザが選択対象を絞りすぎたと感じた場合、図８（ａ）〜図９（ｂ）の各検索ページ２４〜２７の少なく一つを用いて、探したいカラオケ楽曲について覚えている情報に合致するものは、選択対象に残すようにユーザが操作した場合に表示される画面になる。なお、第４選択対象一覧２８は、各選択ボタン２８ａ〜２８ｆの他に、やり直しボタン２８ｇを有する。
【００５５】
上述した図５（ａ）〜図１０の各画面の表示に伴って制御部１０ａが装置プログラム１５の規定内容に基づき行う選択対象の絞り込み処理について説明する。先ず、図５（ｂ）の第２選択対象一覧２１において、「×」ボタン２１ｋが選択された場合、制御部１０ａは、サビ部分を再生したカラオケ楽曲の楽曲フォルダに含まれるテンポ情報およびガイドメロディ情報に係る平均値Ｓ（音程幅情報）を図３のカラオケ楽曲データベース１６から抽出し、抽出した情報と、カラオケ楽曲データベース１６に含まれる他の楽曲フォルダのテンポ情報およびガイドメロディ情報に係る平均値Ｓとをそれぞれ比較する。
【００５６】
比較の結果、テンポ情報について８０％以上の一致度を有し、且つガイドメロディ情報に係る平均値Ｓのプラスマイナス１０％の範囲に含まれる平均値Ｓを有する楽曲フォルダに係る楽曲を制御部１０ａは、サビ部分を再生した楽曲に応じた同系統に属する楽曲として特定する。なお、特定した同系統に属する楽曲の中には、サビ部分を再生した楽曲も勿論含まれる。それから、制御部１０ａは、特定した楽曲に対応する選択ボタンを選択不可能な状態にすると共に、カラオケ楽曲データベース１６に格納された複数のカラオケ楽曲の中における残りのカラオケ楽曲は選択可能にした選択ボタンを配置する選択対象一覧（図６の第３選択対象一覧２２）を生成して表示パネル部１１に表示する制御を行う。
【００５７】
また、上述した絞り込み処理を行ってから、図８（ａ）〜図９（ｂ）の各検索ページ２４〜２７の少なくとも一つを用いて検索が行われた場合、制御部１０ａは、各検索ページ２４〜２７で入力を受け付けた歌詞、年代、ジャンルまたはアーティストに係る情報の少なくとも一つを楽曲要素情報の中に含んでいる楽曲を、上述した絞り込み処理で特定した楽曲（楽曲フォルダ）の中から検出する。それから、制御部１０ａは、検出した楽曲に応じた選択ボタンを選択不可能な状態から選択可能な状態に切り替えた選択対象一覧（図１０の第４選択対象一覧２８）を生成して表示パネル１１に表示する制御を行う。
【００５８】
なお、図５（ｂ）の第２選択対象一覧２１において、「△」ボタン２１ｊが選択された場合、制御部１０ａは上述したサビ部分を再生した楽曲と同系統に属する楽曲を特定する処理と、図８（ａ）〜図９（ｂ）の各検索ページ２４〜２７を表示し、各検索ページ２４〜２７で入力を受け付けた歌詞、年代、ジャンルまたはアーティストに係る情報の少なくとも一つを用いて検出する処理を連続的に行い、図６の第３選択対象一覧２２を表示することなく、一気に図１０の第４選択対象一覧２８を表示する処理を行って、処理の迅速化及びユーザの操作負担を低減している。
【００５９】
図１１の第１フローチャートは、上述した選択対象の絞り込みを行う楽曲選択装置１０の処理手順（楽曲選択方法の処理手順）を整理したものである。以下、この第１フローチャートに基づいて楽曲選択方法の内容を整理して説明する。なお、この第１フローチャートは、図５（ａ）の第１選択対象一覧２０を表示した状態から始まるものとする。
【００６０】
先ず、楽曲選択装置１０は、第１選択対象一覧２０に配置された選択ボタン２０ａ〜２０ｆのいずれかの選択操作をユーザから受け付けたか否かを判断する（Ｓ１）。選択操作を受け付けない場合（Ｓ１：ＮＯ）、選択待ちとなり、いずれかの選択ボタン２０ａ〜２０ｆの選択操作を受け付けた場合（Ｓ１：ＹＥＳ）、楽曲選択装置１０は、選択操作を受け付けた選択ボタンに応じたカラオケ楽曲のサビ部分の再生を行い（Ｓ２）、それから、表示画面を図５（ｂ）の第２選択対象一覧２１に切り替えて表示する（Ｓ３）。
【００６１】
楽曲選択装置１０は、第２選択対象一覧２１において、選択ボタン２１ａ〜２１ｆ、「○」ボタン２１ｉ、「△」ボタン２１ｊまたは「×」ボタン２１ｋのいずれの選択を受け付けたかを判断する（Ｓ４）。選択ボタン２１ａ〜２１ｆのいずれかの選択を受け付けた場合（Ｓ４：選択ボタン）、サビ部分の再生段階（Ｓ２）へ戻り、楽曲選択装置１０は、選択を受け付けた選択ボタンに応じたカラオケ楽曲のサビ部分の再生処理を行う。
【００６２】
また、第２選択対象一覧２１において、「○」ボタン２１ｉの選択を受け付けた場合（Ｓ４：「○」ボタン）、楽曲選択装置１０は、サビ部分を再生したカラオケ楽曲をユーザが歌唱できるようにするため、カラオケ装置２へ再生指示コマンドを送信する（Ｓ５）。なお、この場合は、ユーザが所望するカラオケ楽曲が見つかったため、再生指示コマンドの送信で楽曲選択装置１０における処理は終了する。
【００６３】
さらに、第２選択対象一覧２１において「×」ボタン２１ｋの選択を受け付けた場合（Ｓ４：「×」ボタン）、楽曲選択装置１０は、上述した絞り込み処理を行って、サビ部分を再生したカラオケ楽曲と同系統に属するカラオケ楽曲を特定し、これらの特定したカラオケ楽曲（サビ部分を再生したカラオケ楽曲も含む）に応じた選択ボタンを選択不可能にすると共に、他のカラオケ楽曲に応じた選択ボタンを選択可能にした第３選択対象一覧２２（図６参照）を生成して表示する（Ｓ６）。
【００６４】
それから、楽曲選択装置１０は、第３選択対象一覧２２で、選択ボタン２２ａ〜２２ｆ、詳細ボタン２２ｓまたはやり直しボタン２２ｔのいずれの選択を受け付けたかを判断する（Ｓ７）。選択ボタン２２ａ〜２２ｆのいずれかの選択を受け付けた場合（Ｓ７：選択ボタン）、サビ部分の再生段階（Ｓ２）へ戻り、楽曲選択装置１０は、選択を受け付けた選択ボタンに応じたカラオケ楽曲のサビ部分の再生処理を行う。やり直しボタン２２ｔの選択を受け付けた場合（Ｓ７：やり直しボタン）、楽曲選択装置１０は、絞り込み処理の結果をリセットし（Ｓ８）、それから、図５（ａ）の第１選択対象一覧２０を表示した状態で、選択ボタン２０ａ〜２０ｆのいずれかの選択を受け付けたか否かを判断する段階（Ｓ１）へ戻る。
【００６５】
さらに、図６の第３選択対象一覧２２で、詳細ボタン２２ｓの選択を受け付けた場合（Ｓ７：詳細ボタン）、楽曲選択装置１０は、図１２に示す第２フローチャートで示す処理（第１フローチャート中の「Ａ」の箇所）へ移行して処理を続行する。また、図５（ｂ）の第２選択対象一覧２１で「△」ボタン２１ｊの選択を受け付けた場合も（Ｓ４：△ボタン）、楽曲選択装置１０は、図１２に示す第２フローチャートで示す処理（第１フローチャート中の「Ａ」の箇所）へ移行する。
【００６６】
次に、図１２の第２フローチャートに示す手順を説明する。楽曲選択装置１０は、第２フローチャートに係る処理（第１フローチャート中の「Ａ」の箇所から続く処理）を開始すると、図７の詳細検索メニュー２３（検索スタートボタン２３ｅが選択不可能な状態）を表示し（Ｓ１１）、検索ボタン２３ａ〜２３ｄまたは戻るボタン２２ｆのいずれの選択を受け付けたか否かを判断する（Ｓ１２）。戻るボタン２２ｆの選択を受け付けた場合（Ｓ１２：戻るボタン）、楽曲選択装置１０は、図１１の第１フローチャート中の「Ｂ」の箇所へ移行し、図５（ｂ）の第２選択対象一覧２１を表示した段階（Ｓ３）の後へ戻る。
【００６７】
また、検索ボタン２３ａ〜２３ｄのいずれか一つの選択を受け付けた場合（Ｓ１２：検索ボタン）、楽曲選択装置１０は、選択された検索ボタンに応じた検索メニュー（図８（ａ）の歌詞検索ページ２４〜図９（ｂ）のジャンル検索ページ２７のいずれか）を表示し（Ｓ１３）、検索用の情報（歌詞の一部、アーティスト名、年代、ジャンル）が入力または選択された状態で、ＯＫボタン２４ｂ〜２７ｂ又は戻るボタン２４ｃ〜２７ｃのいずれのボタンの選択を受け付けたかを楽曲選択装置１０は判断する（Ｓ１４）。
【００６８】
戻るボタン２４ｃ〜２７ｃが選択された場合（Ｓ１４：戻るボタン）、楽曲選択装置１０は、最初の詳細検索メニュー２３を表示する段階（Ｓ１１）へ戻る。また、ＯＫボタン２４ｂ〜２７ｂが選択された場合（Ｓ１４：ＯＫボタン）、楽曲選択装置１０は、検索スタートボタン２３ｅが選択可能な状態になった詳細検索メニュー２３を表示し（Ｓ１５）、検索ボタン２３ａ〜２３ｄ、検索スタートボタン２３ｅ、または戻るボタン２３ｆのいずれのボタンの選択を受け付けたかを判断する（Ｓ１６）。検索ボタン２３ａ〜２３ｄのいずれか一つの選択を受け付けた場合（Ｓ１６：検索ボタン）、楽曲選択装置１０は、選択された検索ボタンに応じた検索メニュー（図８（ａ）の歌詞検索ページ２４〜図９（ｂ）のジャンル検索ページ２７のいずれか）を表示する段階（Ｓ１３）へ戻る。
【００６９】
また、戻るボタン２２ｆが選択された場合（Ｓ１６：戻るボタン）、楽曲選択装置１０は、図１１の第１フローチャート中の「Ｂ」の箇所へ移行し、図５（ｂ）の第２選択対象一覧２１を表示した段階（Ｓ３）の後へ戻る。また、検索スタートボタン２２ｅが選択された場合（Ｓ１６：検索スタートボタン）、楽曲選択装置１０は、Ｓ１３の段階で表示した各検索ページ２４〜２９で入力または選択された検索用の情報に基づき詳細検索の処理を行う。
【００７０】
この場合、図１２の第２フローチャートの処理を、図１１の第１フローチャートのＳ７の段階で詳細ボタン２２ｓの選択を受け付けて行った場合（Ｓ７：詳細ボタン）、楽曲選択装置１０は、上述した絞り込み処理において既に特定したカラオケ楽曲の中から、検索用の情報でヒットしたカラオケ楽曲を検出し、検出したカラオケ楽曲に応じた選択ボタンを選択不可能な状態から選択可能に切り替えた第４選択対象一覧２８（図１０参照）を生成して表示する（Ｓ１７）。また、図１２の第２フローチャートの処理を、図１１の第１フローチャートのＳ４の段階で、「△」ボタン２１ｊの選択を受け付けて行った場合（Ｓ４：△ボタン）、楽曲選択装置１０は、この段階（Ｓ１７）で上述した絞り込み処理を行い、特定したカラオケ楽曲の中から検出したカラオケ楽曲および特定されていないカラオケ楽曲に応じた選択ボタンを選択可能にすると共に、複数の中の残りのカラオケ楽曲に応じた選択ボタンを選択不可能にした第４選択対象一覧２８（図１０参照）を生成して表示することになる（Ｓ１７）。
【００７１】
最後に、楽曲選択装置１０は、図１０の第４選択対象一覧２８の選択ボタン２８ａ〜２８ｆまたはやり直しボタン２８ｇのいずれのボタンが選択されたかを判断する（Ｓ１８）。やり直しボタン２８ｇの選択を受け付けた場合（Ｓ１８：やり直しボタン）、楽曲選択装置１０は、図１１の第１フローチャート中の「Ｃ」の箇所へ移行し、絞り込み処理及び検出処理の結果をリセットし（Ｓ８）、それから、図５（ａ）の第１選択対象一覧２０を表示した状態で、選択ボタン２０ａ〜２０ｆのいずれかの選択を受け付けたか否かを判断する段階（Ｓ１）へ戻る。
【００７２】
一方、選択ボタン２８ａ〜２８ｆのいずれか一つの選択を受け付けた場合（Ｓ１８：選択ボタン）、楽曲選択装置１０は、図１１の第１フローチャート中の「Ｄ」の箇所へ移行し、選択を受け付けた選択ボタンに応じたカラオケ楽曲のサビ部分の再生を行い（Ｓ２）、以降、処理を続行する。
【００７３】
このように本発明では、上述した絞り込み処理により選択対象を減少させるので、歌唱を希望するカラオケ楽曲についての詳細な情報（楽曲名、アーティスト等）を正確に覚えていなくても、カラオケ楽曲のイメージおよび曲調などを覚えていれば、従来に比べて迅速に所望のカラオケ楽曲を探し出せることができる。さらに、本発明にあっては、所望のカラオケ楽曲について一部の情報（歌詞の一部、アーティスト名、年代、ジャンル）を覚えていれば、絞り込み処理に加えて、詳細な検出処理も行えるため、所望のカラオケ楽曲を探し出す精度も向上できる。
【００７４】
なお、本発明は、上述した実施形態に限定されるものではなく、種々の変形例の適用が可能である。例えば、所望のカラオケ楽曲を探す際に再生する箇所は、サビ部分に限定されるものではなく、他の部分（イントロ部分、曲の途中部分など）を再生する場合にも、本発明は対応可能である。
【００７５】
また、選曲対象の絞り込みにおける比較処理では、テンポ情報について８０％以上の一致度で特定を行うように説明しているが、８０％以上の一致度は、あくまで一例であり、一致度を８０％から上下した数値を用いて特定処理を行ってもよく、さらに、一致度に係る数値はユーザが設定できるようにしてもよい。同様に、ガイドメロディ情報に係る平均値Ｓのプラスマイナス１０％の範囲で選択対象を特定する処理も、あくまで一例であり、平均値Ｓの値およびプラスマイナスに係る数値も他の値を適用できると共に、ユーザが自由に設定可能にしてもよい。また、選択対象の絞り込みの簡易化を図る場合は、テンポ情報または音程幅情報のいずれか一方のみを用いて、処理を行うようにしてもよい。さらに、選択対象の絞り込みでは、テンポ情報または音程幅情報以外に、楽曲を演奏する楽器の音色情報を用いて、同系統に属するか否かを比較判断することも可能である。
【００７６】
また、図７の詳細検索メニュー２３では、歌詞の一部、アーティスト名、年代またはジャンルの計４項目で詳細な検索を行えるようにしているが、詳細検索に用いる項目は、計４項目全てを適用する以外に、これらの中から少なくとも一つだけで詳細検索を行える仕様にしてもよい。また、詳細検索を行う場合は、図１１の第１フローチャートでは、Ｓ４の段階で「△」ボタン２１ｊが選択された場合と、Ｓ７の段階で詳細ボタン２２Ｓが選択された場合に行うようにしているが、処理の簡易化を図るときは、いずれか一方の場合の処理を省略してもよい。
【００７７】
さらにまた、楽曲選択装置１０における選択対象の特定処理および詳細検索に係る処理負担の低減を図る場合は、カラオケ楽曲データベースの配信を行う側で、予め、同系統に属するカラオケ楽曲または同系統に属するか曖昧なカラオケ楽曲を特定したカラオケ楽曲データベースを配信し、このようなカラオケ楽曲データベースを用いて選択対象の特定処理および詳細検索に係る処理を行うようにしてもよい。
【００７８】
図１３は、変形例のカラオケ楽曲データベース５０の一部を示している。このカラオケ楽曲データベース５０では、同系統に属するカラオケ楽曲がグループ分けされた楽曲系統情報（第１パターン、第２パターン等）、および同系統のグループの中で曖昧な楽曲系統情報（第１′パターン、第２′パターン等）がそれぞれ付加されている。よって、このカラオケ楽曲データベース５０を用いて選択対象の特定処理および詳細検索に係る処理を行う楽曲選択装置１０は、ユーザの選択操作により第１パターンに属するカラオケ楽曲のサビ部分を再生してから、図５（ｂ）の第２選択対象一覧２１で、「×」ボタン２１ｋが選択されると、カラオケ楽曲データベース５０の中で、同系統に属する第１パターンおよび第１′パターンに該当するカラオケ楽曲を特定して選択不可能にする。
【００７９】
さらに、図５（ｂ）の第２選択対象一覧２１で、「△」ボタン２１ｊが選択された場合または図６の第３選択対象一覧２２で詳細ボタン２２ｓが選択された場合、特定されたカラオケ楽曲の中で第１′パターンに該当するカラオケ楽曲を選択可能な状態にする。よって、このようなカラオケが楽曲データベース５０を用いることで、グループ分けに係る情報を参照するだけで、選択対象の特定および詳細検索を容易に行える。
【００８０】
さらにまた、上述した説明では、カラオケ装置２とは別体の楽曲選択装置２で楽曲選択処理を行う場合を対象にしているが、楽曲選択装置２の上述した楽曲選択に係る機能をカラオケ装置２に具備させた形態にすることも可能である。また、本発明はカラオケ楽曲以外にも、多数の楽曲を記憶する音楽再生装置（携帯型の音楽再生装置、音楽再生機能を有する携帯電話機等を含む）において、ユーザが再生を所望する楽曲を探す場合にも適用することが可能である。
【図面の簡単な説明】
【００８１】
【図１】本発明の実施形態に係るカラオケシステムの全体的な構成を示す概略図である。
【図２】本発明に係る楽曲選択装置の内部構成を示すブロック図である。
【図３】カラオケ楽曲データベースを示す図表である。
【図４】（ａ）は演奏情報を模式的に示した図表であり、（ｂ）はガイドメロディ情報を模式的に示したグラフである。
【図５】（ａ）は第１選択対象一覧を表示した画面を示す概略図、（ｂ）は第２選択対象一覧を表示した画面を示す概略図である。
【図６】第３選択対象一覧を表示した画面を示す概略図である。
【図７】詳細検索メニューを表示した画面を示す概略図である。
【図８】（ａ）は歌詞検索ページを表示した画面を示す概略図、（ｂ）はアーティスト検索ページを表示した画面を示す概略図である。
【図９】（ａ）は年代検索ページを表示した画面を示す概略図、（ｂ）はジャンル検索ページを表示した画面を示す概略図である。
【図１０】第４選択対象一覧を表示した画面を示す概略図である。
【図１１】楽曲選択方法に係る処理手順を示す第１フローチャートである。
【図１２】楽曲選択方法に係る処理手順を示す第２フローチャートである。
【図１３】本発明の変形例に係るカラオケ楽曲データベースを示す図表である。
【符号の説明】
【００８２】
１  カラオケシステム
２  カラオケ装置
３  アクセスポイント
１０  楽曲選択装置
１０ａ  制御部
１０ｂ  無線通信部
１０ｇ  記憶部
１１  表示パネル部
１５  装置プログラム
１６  カラオケ楽曲データベース
１７ａ〜１７ｎ  画面データ
【図１】
2008084473.tif 000003
【図２】
2008084473.tif 000004
【図３】
2008084473.tif 000005
【図４】
2008084473.tif 000006
【図５】
2008084473.tif 000007
【図６】
2008084473.tif 000008
【図７】
2008084473.tif 000009
【図８】
2008084473.tif 000010
【図９】
2008084473.tif 000011
【図１０】
2008084473.tif 000012
【図１１】
2008084473.tif 000013
【図１２】
2008084473.tif 000014
【図１３】
2008084473.tif 000015